(57)【要約】【課題】ユーザに情報を提供する情報提供装置において、ユーザによって有益な情報を提供できるようにする。【解決手段】情報提供装置においては、ユーザとは異なる他の者が投稿した１または複数の投稿内容を取得し（Ｓ２５０）、これらの投稿がされた際の状況を表す投稿状況（例えば、位置、時間、人数等）を投稿毎に推定する（Ｓ２７０）。また、情報提供装置が置かれた状況を表す装置状況を取得し（Ｓ２２０）、装置状況が、１または複数の投稿状況に基づいて得られる総合状況と適合する程度を表す適合性を判定し、適合性に基づいて投稿内容を選択する（Ｓ２９０、Ｓ３２０）。また、選択された投稿内容に基づく情報をユーザに提供する（Ｓ１３０）。このような情報提供装置１によれば、投稿状況（総合状況）と装置状況との適合性に基づいてユーザに提供する投稿内容を選択するので、ユーザにとって有益な情報を提供することができる。【選択図】図３
2015230691.tif 000002
【特許請求の範囲】
【請求項１】
ユーザに情報を提供する情報提供装置（１，２）であって、
前記ユーザとは異なる他の者が投稿した１または複数の投稿内容を取得する投稿内容取得手段（Ｓ２５０）と、
これらの投稿がされた際の状況を表す投稿状況を投稿毎に推定する投稿状況推定手段（Ｓ２７０）と、
当該情報提供装置が置かれた状況を表す装置状況を取得する状況取得手段（Ｓ２２０）と、
前記装置状況が、１または複数の投稿状況に基づいて得られる総合状況と適合する程度を表す適合性を判定し、前記適合性に基づいて投稿内容を選択する判定選択手段（Ｓ２９０、Ｓ３２０、Ｓ１２０）と、
前記選択された投稿内容に基づく情報をユーザに提供する提供手段（Ｓ１３０）と、
を備えたことを特徴とする情報提供装置。
【請求項２】
請求項１に記載の情報提供装置において、
前記投稿状況には投稿を行った場所の情報を含み、
前記装置状況には情報提供装置の位置の情報を含み、
前記判定選択手段は、前記投稿状況に含まれる場所毎に、前記装置状況が前記総合状況と適合する程度を表す適合性を判定し、前記適合性に基づいて投稿内容を選択すること
を特徴とする情報提供装置。
【請求項３】
請求項１または請求項２に記載の情報提供装置において、
前記判定選択手段は、複数の投稿状況に基づいて得られた統計を前記総合情報として利用すること
を特徴とする情報提供装置。
【請求項４】
請求項１〜請求項３の何れか１項に記載の情報提供装置において、
前記投稿状況推定手段は、前記投稿内容から投稿状況を推定すること
を特徴とする情報提供装置。
【請求項５】
請求項４に記載の情報提供装置において、
前記投稿状況推定手段は、投稿状況を推定しようとする投稿内容を投稿した投稿者によって投稿された他の投稿内容を取得し、該他の投稿内容も利用して前記投稿状況を推定すること
を特徴とする情報提供装置。
【請求項６】
請求項４または請求項５に記載の情報提供装置において、
前記投稿状況推定手段は、前記投稿状況の少なくとも一部として、投稿内容に含まれる添付画像を画像認識することによって投稿者とともに行動をしていた人物の人数を推定すること
を特徴とする情報提供装置。
【請求項７】
請求項１〜請求項６の何れか１項に記載の情報提供装置において、
前記提供手段は、選択された投稿内容について、前記適合性の高さに応じて、情報提供を行う際の態様を変化させること
を特徴とする情報提供装置。
【発明の詳細な説明】
【技術分野】
【０００１】
本発明は、ユーザに情報を提供する情報提供装置に関する。
【背景技術】
【０００２】
上記の情報提供装置として、ＳＮＳ（ソーシャル・ネットワーク・サービス）に投稿された情報に肯定的なコメントが付されている場合に、このコメントの対象となる施設に車両を誘導するなどの情報提供を行うものが知られている（例えば、特許文献１参照）。
【先行技術文献】
【特許文献】
【０００３】
【特許文献１】特開２０１３−１２７３９９号公報
【発明の概要】
【発明が解決しようとする課題】
【０００４】
しかしながら、上記情報提供装置では、どのような状況の投稿であっても肯定的なコメントに従って情報が提供されるので、季節外れの情報等の、状況に合わない不要な情報が提供される虞がある。
【０００５】
そこで、このような問題点を鑑み、ユーザに情報を提供する情報提供装置において、ユーザにとって有益な情報を提供できるようにすることを本発明の目的とする。
【課題を解決するための手段】
【０００６】
本発明の情報提供装置において、投稿内容取得手段は、ユーザとは異なる他の者が投稿した１または複数の投稿内容を取得し、投稿状況推定手段は、これらの投稿がされた際の状況を表す投稿状況を投稿毎に推定する。また、状況取得手段は、情報提供装置が置かれた状況を表す装置状況を取得し、判定選択手段は、装置状況が、１または複数の投稿状況に基づいて得られる総合状況と適合する程度を表す適合性を判定し、適合性に基づいて投稿内容を選択する。そして、提供手段は、選択された投稿内容に基づく情報をユーザに提供する。
【０００７】
このような情報提供装置によれば、投稿状況（総合状況）と装置状況との適合性に基づいてユーザに提供する投稿内容を選択するので、ユーザにとって有益な情報を提供することができる。
【０００８】
なお、上記目的を達成するためには、コンピュータを、情報提供装置を構成する各手段として実現するための情報提供プログラムとしてもよい。また、各請求項の記載は、可能な限りにおいて任意に組み合わせることができる。この際、発明の目的を達成できる範囲内において一部構成を除外してもよい。
【図面の簡単な説明】
【０００９】
【図１】本発明が適用された情報提供装置１の概略構成を示すブロック図である。
【図２】制御部１０のＣＰＵ１１が実行する情報提供処理を示すフローチャートである。
【図３】情報提供処理のうちの出力候補抽出処理を示すフローチャートである。
【図４】出力候補抽出処理のうちの投稿状況推定処理を示すフローチャートである。
【図５】情報提供処理のうちの評価処理を示すフローチャートである。
【図６】複数の情報について情報提供する際の一例を示す画像図（その１）である。
【図７】複数の情報について情報提供する際の一例を示す画像図（その２）である。
【図８】複数の情報について情報提供する際の一例を示す画像図（その３）である。
【図９】制御部１０のＣＰＵ１１が実行する統計情報作成処理を示すフローチャートである。
【図１０】施設のヒストグラムの一例を示す説明図である。
【図１１】平均ヒストグラムの一例を示す説明図である。
【図１２】第２実施形態の出力候補抽出処理を示すフローチャートである。
【発明を実施するための形態】
【００１０】
以下に本発明にかかる実施の形態を図面と共に説明する。
［第１実施形態］
［本実施形態の構成］
本発明が適用された情報提供装置１は、例えば、乗用車等の車両（自車両）に搭載されており、ＳＮＳ（ソーシャル・ネットワーク・サービス）に投稿された情報に基づいてユーザに適した情報を生成し、生成した情報をユーザに提供する機能を有する。
【００１１】
情報提供装置１は、図１に示すように、制御部１０と、カメラ２１と、位置測定部２２と、ワイパ２３と、各種センサ２４と、通信部２５と、表示部２６と、スピーカ２７と、を備えている。カメラ２１は、例えば、車両の内部（車室内）を撮像し、撮像画像を制御部１０に送る。撮像画像は、自車両の乗員の数、および子供の有無を認識するために用いられる。乗員の数や子供の有無を認識するには、例えば特開２００５−１４８８８０号公報等に開示されているように、公知の顔認識技術、および顔画像からの年齢推定技術を用いて行なうことが可能である。。
【００１２】
位置測定部２２は、例えばＧＰＳ（全地球測位システム）受信機として構成されており、位置の情報を制御部１０に送る。
ワイパ２３は、車両のフロントガラスにおける水滴を除去する周知のワイパとして構成されている。ワイパ２３の作動状態は、制御部１０において認識できるよう設定されている。
【００１３】
各種センサ２４としては、例えば、車両の走行速度を検出する車速センサ、外気温を検出する温度計、乗員の着座状態を検出する着座センサ等のセンサ類を備えている。各種センサ２４は、自身による検出結果を制御部１０に送る。
【００１４】
通信部２５は、車両の外部に配置されたサーバ９０と通信を行うための周知の通信モジュールとして構成されている。通信部２５は、制御部１０にて送信するよう指示されたデータをサーバ９０に送信するとともに、サーバ９０から自身宛に送信されたデータを受信し制御部１０に送る。
【００１５】
表示部２６は、液晶ディスプレイやヘッドアップディスプレイ等の周知のディスプレイとして構成されている。表示部２６は、制御部１０から送信される映像信号に基づく画像を表示させる。スピーカ２７は、制御部１０から送信される音声信号に基づく音波を出力する周知のスピーカとして構成されている。
【００１６】
制御部１０は、ＣＰＵ１１と、ＲＯＭ、ＲＡＭ等のメモリ１２とを有するコンピュータとして構成されている。ＣＰＵ１１はメモリ１２に格納されたプログラムに基づく各種処理を実行する。
【００１７】
制御部１０は、地図データベース１３も備えている。地図データベース１３はナビゲーション装置において利用される一般的なものであり、地図データベース１３には、自身を目的地まで案内するために必要となる道路の情報や施設の情報等が緯度経度の情報と対応付けて格納されている。
【００１８】
ここで、サーバ９０は、ＳＮＳ情報データベース（ＤＢ）９１や天気データベース９２を備えている。ＳＮＳ情報データベース９１には、ＳＮＳに投稿された多数の投稿（投稿内容）が記録される。
【００１９】
また、天気データベース９２には、多数の登録点における天気や気温の情報が記録される。サーバ９０は、各車両からの要求を受けると、各データベース９１，９２に記録された情報のうちの必要なものを読み出し、要求元の車両に対して送信する。
【００２０】
［本実施形態の処理］
このように構成された情報提供装置１において、制御部１０は、図２に示す情報提供処理を実施する。情報提供処理は、例えば情報提供装置１の電源が投入されると開始される処理であり、その後、一定周期毎に繰り返し実施される処理である。
【００２１】
情報提供処理では、図２に示すように、まず、出力候補抽出処理を実施する（Ｓ１１０）。出力候補抽出処理は、ユーザの状況に類似する状況でＳＮＳに投稿された情報を、ユーザに提供する情報を生成する際の材料となる出力候補として抽出する処理である。
【００２２】
出力候補抽出処理では、図３に示すように、まず、各種情報を取得する（Ｓ２１０）。ここでいう各種情報とは、カメラ２１、位置測定部２２、各種センサ２４によるそれぞれの検出結果や、ワイパ２３の作動状態、サーバ９０から得られる天気の情報等を含む。
【００２３】
なお、天気はサーバから取得する以外に、ワイパの状態から雨かどうかを判断してもよい。また、人数はカメラから取得する以外に、着座センサから取得してもよい。
続いて、ユーザ状況を特定する（Ｓ２２０）。この処理では、Ｓ２１０の処理にて得られた各種情報を利用して、時刻、季節、天気、気温、人数、子供連れか、空腹か等をユーザ状況として推定する。なお、空腹か否かについては、自車両の移動履歴を用いて、飲食店付近に停車していたか否か等に基づいて判断することができる。また空腹か否かについては一般的な食事時刻に近いかどうかで判断してもよい。
【００２４】
続いて、自車両の周辺の施設を抽出する（Ｓ２３０）。この処理では、例えば自車両の位置を中心に半径１０ｋｍ以内、或いは目的地が設定されている場合には目的地までの経路から２ｋｍ以内等、任意の設定により施設を抽出する。
【００２５】
続いて、抽出した施設のうちの未選択の施設の１つを選択する（Ｓ２４０）。そして、選択した施設の名称を含む投稿をサーバ９０に要求し、この名称を含む多数の投稿を取得する（Ｓ２５０）。
【００２６】
続いて、取得した投稿のうちの未選択の投稿の１つを選択する（Ｓ２６０）。そして、選択した投稿について、投稿状況推定処理を実施する（Ｓ２７０）。投稿状況推定処理は、選択した投稿について、投稿されたときの状況を推定する処理である。
【００２７】
投稿状況推定処理では、図４に示すように、まず、選択中の投稿の投稿者による他の投稿をサーバ９０に要求し、取得する（Ｓ５１０）。他の投稿としては、選択中の投稿となるべく近い時間のもの（例えば同日のもの）に限って取得する。
【００２８】
続いて、これらの投稿から投稿者の状況を推定可能か否かを判定する（Ｓ５２０）。ここで、状況を推定可能な場合とは、例えば、ＧＰＳ情報等の位置を特定可能な情報が投稿に付加されている場合、施設のある地域の投稿当日の天気や気温が天気データベースから取得できる場合、投稿に添付画像があり添付画像を画像処理することによって人物の人数や子供連れか否かを特定できる場合、Ｓ２６０で選択した投稿の直前に食事に関係する投稿が存在しており空腹ではないと特定できる場合、Ｓ２６０で選択した投稿の直後に食事に関係する投稿が存在しており空腹であったと特定できる場合、等、投稿者の状況を示す情報が何れかの投稿に含まれている場合を示す。
【００２９】
食事に関係する投稿か否かは、例えば「ランチ」「ご飯」「おいしい」などの文言が含まれるか否かで判定できる。また、特開２０１２−１４６７８号公報に示されるような技術を用い、添付画像から飲食物が認識出来た場合には食事に関係する投稿であると判定してもよい。
【００３０】
投稿者の状況が推定不可能であれば（Ｓ５２０：ＮＯ）、投稿状況推定処理を終了する。また、投稿者の状況が推定可能であれば（Ｓ５２０：ＹＥＳ）、この投稿者の状況を推定し、選択中の投稿に対応付けて記録させる（Ｓ５３０）。この処理が終了すると、投稿状況推定処理を終了する。
【００３１】
続いて、図３に戻り、選択した投稿が選択した施設に関するものであるか否かを判定する（Ｓ２８０）。この処理では、例えば、投稿を行った位置と選択した施設の位置とがかけ離れているような場合に、選択した投稿が選択した施設に関するものでないと判定する。
【００３２】
選択した投稿が選択した施設に関するものでなければ（Ｓ２８０：ＮＯ）、後述するＳ３３０の処理に移行する。また、選択した投稿が選択した施設に関するものであれば（Ｓ２８０：ＹＥＳ）、投稿者の状況がユーザの状況に類似しているか否かを判定する（Ｓ２９０）。
【００３３】
この処理では、Ｓ２２０の処理で特定されたユーザの状況と投稿状況推定処理で推定された投稿者の状況とを比較することで判定を行う。例えば、時刻、季節、天気、気温、人数、子供連れか、空腹か否かの７項目について比較を行う場合、これらのそれぞれについて各状況が近い状況であるか否かを判定し、これらのうちの過半数が近い状況である場合、投稿者の状況がユーザの状況に類似していると判定する。
【００３４】
また、投稿者の状況がユーザの状況に類似していなければ（Ｓ２９０：ＮＯ）、後述するＳ３３０の処理に移行する。また、投稿者の状況がユーザの状況に類似していれば（Ｓ２９０：ＹＥＳ）、選択中の施設を出力候補として抽出し、選択中の施設をメモリ１２に追加する（Ｓ３２０）。この際、この投稿もメモリ１２に記録させる。
【００３５】
そして、Ｓ２５０の処理にて取得した投稿のうちの未選択の投稿があるか否かを判定する（Ｓ３３０）。未選択の投稿があれば（Ｓ３３０：ＹＥＳ）、Ｓ２６０の処理に戻る。
また、未選択の投稿がなければ（Ｓ３３０：ＮＯ）、Ｓ２３０の処理にて抽出した施設のうちの未選択の施設があるか否かを判定する（Ｓ３４０）。未選択の施設があれば（Ｓ３４０：ＹＥＳ）、Ｓ２４０の処理に戻る。また、未選択の施設がなければ（Ｓ３４０：ＮＯ）、出力候補抽出処理を終了する。
【００３６】
このような出力候補抽出処理が終了すると、図２に戻り、評価処理を実施する（Ｓ１２０）。評価処理は、出力候補抽出処理で出力候補として抽出された施設から提供すべき対象を選択する処理である。
【００３７】
評価処理では、図５に示すように、まず、出力候補として抽出された各施設について、投稿数や投稿に含まれる肯定語を抽出し、これらの数をカウントする（Ｓ５１０）。ここで、肯定語とは、「おいしい」「きれい」「よかった」等、各施設を称賛する際に利用される語句を示す。
【００３８】
続いて、カウント数に応じて点数化を行う（Ｓ５２０）。この処理では、カウント数が多くなるにつれて高い点数を付与する。
そして、カウント数に応じて提供する情報を選択する（Ｓ５３０）。この処理では、例えば、最も多いカウント数の施設のみを提供する情報として選択したり、カウント数の多い順に予め設定された数の施設を選択したりすればよい。この処理が終了すると、評価処理を終了する。
【００３９】
このような評価処理が終了すると、図２に戻り、提供する情報に基づいて提供情報を生成し、提供情報をユーザに提供する（Ｓ１３０）。詳細には、選択された投稿情報に含まれる施設について、カウント数が多い施設をユーザに対する適合度が高いものとして強調表示するようにする。
【００４０】
具体的には、図６に示すように、○○牧場と△△博物館とを提供情報に含む場合には、適合度が相対的に高い○○牧場についてはより大きく表示させ、適合度が相対的に低い△△博物館については小さく表示させるための映像信号を生成する。
【００４１】
図６に示す例では、地図上の施設の位置においてその大きさを適合度に応じて設定しているが、図７，図８に示すように、施設を一覧として表示させる画像を生成してもよい。例えば図７に示すように、施設毎にカテゴリ（見る、買う、遊ぶ、食べる等）毎の比率を設定しておき、カテゴリに応じて画面上の中央から見た方角（例えば「遊ぶ」であれば右下方向）が決まり、適合度がより高いものを画面の中央に表示させ、適合度が低くなるにつれて画面の端に表示させるようにする。
【００４２】
このようにすることでユーザは、まず中央部分を見ることで、全カテゴリについて状況適合度が高い施設群を概観し、その中から施設を選択することができる。施設を１つ選べなかった場合であっても興味のあるカテゴリを絞ることが出来た場合、対応する画面上の方角に視線を進めることで同カテゴリの他の施設についてもチェックすることができる。
【００４３】
また、図８に示すように、施設をリストとして表示させる画像を生成してもよい。この場合、適合度に応じて表示させる大きさや色等を変更してもよい。本実施形態において、どのような画像を生成させるかについては、ユーザに予め設定させてもよいし、ある画像を表示後に、ユーザによって他の表示態様に切り替えさせるようにしてもよい。
【００４４】
［本実施形態による効果］
本発明の情報提供装置１において制御部１０は、ユーザとは異なる他の者が投稿した１または複数の投稿内容を取得し、これらの投稿がされた際の状況を表す投稿状況（例えば、位置、時間、人数等）を投稿毎に推定する。また、情報提供装置１が置かれた状況を表す装置状況を取得し、装置状況が、１または複数の投稿状況に基づいて得られる総合状況と適合する程度を表す適合性を判定し、適合性に基づいて投稿内容を選択する。そして、選択された投稿内容に基づく情報をユーザに提供する。
【００４５】
このような情報提供装置１によれば、投稿状況（総合状況）と装置状況との適合性に基づいてユーザに提供する投稿内容を選択するので、ユーザにとって有益な情報を提供することができる。
【００４６】
また、上記情報提供装置１において、投稿状況には投稿を行った場所の情報を含み、装置状況には情報提供装置の位置の情報を含み、制御部１０は、投稿状況に含まれる場所毎に、装置状況が総合状況と適合する程度を表す適合性を判定し、適合性に基づいて投稿内容を選択する。
【００４７】
このような情報提供装置によれば、投稿を行った場所の情報および情報提供装置の位置の情報を加味して適合性を判定するので、より適切な情報を選択することができる。
また、上記情報提供装置１において制御部１０は、投稿内容から投稿状況を推定する。
【００４８】
このような情報提供装置によれば、投稿状況を投稿内容とは別に取得することなく、投稿情報を推定することができる。
また、上記情報提供装置１において制御部１０は、投稿状況を推定しようとする投稿内容を投稿した投稿者によって投稿された他の投稿内容を取得し、他の投稿内容も利用して投稿状況を推定する。
【００４９】
このような情報提供装置によれば、複数の投稿内容を利用して投稿状況を推定するので、短く情報量の少ない投稿が多いＳＮＳ投稿においても、より高い確率で、正確に投稿状況を推定することができる。
【００５０】
また、上記情報提供装置１において制御部１０は、投稿状況の少なくとも一部として、投稿内容に含まれる添付画像を画像認識することによって投稿者とともに行動をしていた人物の人数を推定する。
【００５１】
このような情報提供装置によれば、大人数で楽しむことの多い施設（例えば遊園地）を一人で行動しているユーザに教えるような、状況に合わない情報の提示を減らすことができる。
【００５２】
また、上記情報提供装置１において制御部１０は、選択された投稿内容について、前記適合性の高さに応じて、情報提供を行う際の態様（色、大きさ、音声など）を変化させる。
【００５３】
このような情報提供装置によれば、適合性が高い情報と適合性が低い情報とをユーザが識別しやすくすることができる。
［第２実施形態］
次に、別形態の情報提供装置２について説明する。本実施形態（第２実施形態）では、第１実施形態の情報提供装置１と異なる箇所のみを詳述し、第１実施形態の情報提供装置１と同様の箇所については、同一の符号を付して説明を省略する。
【００５４】
本実施形態の情報提供装置２においては、複数の投稿に基づいて統計を作成し、この統計を用いてユーザに提供する情報を生成する。詳細には、制御部１０は、情報提供処理の実施前に、図９に示す統計情報作成処理を実施する。
【００５５】
統計情報作成処理は、情報提供装置２の電源が投入されたとき等、任意のタイミングで実施される処理である。統計情報作成処理では、図９に示すように、まず、サーバ９０のＳＮＳデータベース９１に記録されている多数の投稿を取得する（Ｓ７１０）。
【００５６】
続いて、取得した多数の投稿のうちの未選択の投稿を選択する（Ｓ７２０）。そして、選択した投稿が、施設に関する投稿であるか否かを判定する（Ｓ７３０）。この処理では、選択した投稿に予め設定された施設の名称の文字列が含まれているか否かによって判定を行う。
【００５７】
施設に関する投稿でなければ（Ｓ７３０：ＮＯ）、後述するＳ７９０の処理に移行する。また、施設に関する投稿であれば（Ｓ７３０：ＹＥＳ）、投稿状況推定処理を実施する（Ｓ７４０）。なお、この処理は、前述の処理と同様である。
【００５８】
続いて、選択中の投稿について、投稿状況が推定できたか否かを判定する（Ｓ７６０）。投稿状況が推定できていなければ（Ｓ７６０：ＮＯ）、後述するＳ７９０の処理に移行する。
【００５９】
また、投稿状況が推定できていれば（Ｓ７６０：ＹＥＳ）、投稿状況の一部として抽出された施設名を取得し（Ｓ７７０）、この投稿に対して、施設名と投稿状況とを対応付けてメモリ１２に記録させる。
【００６０】
続いて、取得した多数の投稿のうちの未選択の投稿があるか否かを判定する（Ｓ７９０）。未選択の投稿があれば（Ｓ７９０：ＹＥＳ）、Ｓ７２０の処理に戻る。
また、未選択の投稿がなければ（Ｓ７９０：ＮＯ）、施設毎のヒストグラム（分布のグラフ）を作成する（Ｓ８１０）。この処理では、例えば図１０に示すように、ある施設について、投稿が行われた時間帯、投稿が行われた月、子供の有無等について、ヒストグラムとしてまとめる。
【００６１】
続いて、全ての施設の平均ヒストグラムを生成する（Ｓ８２０）。この処理では、例えば図１１に示すように、施設名が認識できた全ての投稿について、投稿が行われた月、子供の有無等について、ヒストグラムとしてまとめる。このような処理が終了すると、統計情報作成処理を終了する。
【００６２】
次に、本実施形態の出力候補抽出処理では、図１２に示すような処理を実施する。すなわち、前述のＳ２４０の処理に続いて、下記処理を実施する。つまり、図１２に示すように、選択中の施設についてのヒストグラムと、平均ヒストグラムとを比較し、これらの差が大きくなる項目（グラフ中の位置）を抽出する（Ｓ９１０）。
【００６３】
例えば、図１０に示す施設のヒストグラムと図１１に示す平均ヒストグラムとを比較する場合、平均ヒストグラムでは月毎の投稿数の差が小さいのに対して、施設のヒストグラムでは８月の時期の投稿数が突出しているため、「８月」との項目が抽出されることになる。
【００６４】
続いて、抽出した項目（差が大きな項目）がユーザの状況と類似しているか否かを判定する（Ｓ９２０）。例えば、「８月」との項目が抽出された場合には、ユーザに情報提供を行う時期（つまり今の季節）が８月であるか否かを判定する。
【００６５】
逆に、施設の投稿数が、平均ヒストグラムに比べて、８月の時期に減っていた場合は、今の季節が８月ではないことをもって類似しているとする。
抽出した項目がユーザの状況と類似していなければ（Ｓ９２０：ＮＯ）、前述のＳ３４０の処理に移行する。また、抽出した項目がユーザの状況と類似していれば（Ｓ９２０：ＹＥＳ）、前述のＳ３２０の処理を実施する。なお、Ｓ３２０の処理の後にはＳ３４０の処理を実施する。
【００６６】
このような情報提供装置によれば、個別の投稿だけでなく、複数の投稿を利用して得られた統計情報（総合情報）に基づいて適合性を判定することができるので、より適切な情報を選択することができる。
【００６７】
更に、全ての投稿に対して推定が可能ではない状況の項目に関しても、統計情報（総合情報）を用いることで適切に適合性を判定することができる。例えば、「子供連れか」などは、投稿に画像が添付されない場合など、推定できないことがある。その場合であっても、投稿者が「子供連れでなかった」と断言できるわけではないため、単一の投稿から適合度を判断することは難しい。
【００６８】
このような状況の項目に対しても、平均ヒストグラムに比べてその施設の投稿のヒストグラムにおける「子供がいる」割合が大きければ、子供連れのユーザに情報提供を行なうべきと判定でき、逆に平均ヒストグラムに比べてその施設の投稿における「子供がいる」割合が少なければ、子供連れでないユーザに提供を行なうべきと判断できる。また、平均ヒストグラムに比べてその施設の投稿における「子供がいる」割合が同程度であれば、提供するかどうかの判断において着目する必要がないとみなすことができる。
【００６９】
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲にも適宜使用しているが、各請求項に係る発明の理解を容易にする目的で使用しており、各請求項に係る発明の技術的範囲を限定する意図ではない。
【００７０】
例えば、上記実施形態において、各種処理については全て制御部１０が実施するよう説明したが、統計情報作成処理等の各処理の全部または一部は、サーバ９０で実行されてもよい。すなわち、情報提供装置１，２は、サーバ９０で処理を実行するクラウドシステムとして構成されていてもよい。
【００７１】
［実施形態の構成と本発明の手段との対応関係］
上記実施形態において制御部１０が実行する処理のうち、Ｓ１３０の処理は本発明でいう提供手段に相当し、上記実施形態におけるＳ２９０、Ｓ３２０、Ｓ１２０の処理は本発明でいう判定選択手段に相当する。また、上記実施形態におけるＳ２２０の処理は本発明でいう状況取得手段に相当し、上記実施形態におけるＳ２７０の処理は本発明でいう投稿状況推定手段に相当する。
【００７２】
さらに、上記実施形態におけるＳ２５０の処理は本発明でいう投稿内容取得手段に相当する。
【符号の説明】
【００７３】
１，２…情報提供装置、１０…制御部、１１…ＣＰＵ、１２…メモリ、２１…カメラ、２２…位置測定部、２３…ワイパ、２４…センサ、２５…通信部、２６…表示部、２７…スピーカ、９０…サーバ、９１…情報データベース、９２…天気データベース。
【図１】
2015230691.tif 000003
【図２】
2015230691.tif 000004
【図３】
2015230691.tif 000005
【図４】
2015230691.tif 000006
【図５】
2015230691.tif 000007
【図６】
2015230691.tif 000008
【図７】
2015230691.tif 000009
【図８】
2015230691.tif 000010
【図９】
2015230691.tif 000011
【図１０】
2015230691.tif 000012
【図１１】
2015230691.tif 000013
【図１２】
2015230691.tif 000014